(57)【要約】【課題】本発明は、使用していないときにも無駄にすることなく省スペース化を図ることが出来る使い勝手に優れた共用ソケットを提案する。【解決手段】本発明は、輝度信号端子２０４Ａ、輝度信号用グランド端子２０４Ｂ、色信号端子２０３Ａ及び色信号用グランド端子２０３Ｂが配置されてなるＳ端子ソケットと、当該Ｓ端子ソケットにおける輝度信号端子２０４Ａ、輝度信号用グランド端子２０４Ｂ、色信号端子２０３Ａ及び色信号用グランド端子２０３Ｂの内側に配置されたピンジャックソケットのコンポジットビデオ端子２０５とを設けることにより、Ｓ端子ソケットとピンジャックソケットとを同一平面上で重ねさせることができる。【選択図】図５
2009004178.tif 000002
【特許請求の範囲】
【請求項１】
輝度信号端子、輝度信号用グランド端子、色信号端子及び色信号用グランド端子が配置されてなるＳ端子ソケットと、
上記Ｓ端子ソケットにおける上記輝度信号端子、上記輝度信号用グランド端子、上記色信号端子及び上記色信号用グランド端子の内側に配置されたピンジャックソケットと
を具えることを特徴とする共用ソケット。
【請求項２】
上記Ｓ端子ソケットにおける上記輝度信号端子、上記輝度信号用グランド端子、上記色信号端子及び上記色信号用グランド端子の外側に配されたシールドが上記ピンジャックソケットのグランドとして機能する
ことを特徴とする請求項１に記載の共用ソケット。
【請求項３】
上記ピンジャックソケットは、コンポジットビデオ端子である
ことを特徴とする請求項１に記載の共用ソケット。
【請求項４】
所定の電子機器であって、
上記電子機器の本体部の背面又は表面に設けられ、輝度信号端子、輝度信号用グランド端子、色信号端子及び色信号用グランド端子が配置されてなるＳ端子ソケットと、
上記Ｓ端子ソケットにおける上記輝度信号端子、上記輝度信号用グランド端子、上記色信号端子及び上記色信号用グランド端子の内側に設けられたピンジャックソケットと
を具えることを特徴とする電子機器。
【発明の詳細な説明】
【技術分野】
【０００１】
本発明は、共用ソケット及び電子機器に関し、例えばビデオ機器の背面や前面に設けられたＳ端子ソケットとコンポジットビデオ端子ソケットとを共用する場合に適用して好適なものである。
【背景技術】
【０００２】
従来、テレビジョン放送を受信するモニターにおいては、輝度信号Ｙと色信号Ｃとをミックスした状態で伝送するためのコンポジットビデオ用ピンジャックプラグに対応したコンポジットビデオ端子ソケットと、輝度信号Ｙと色信号Ｃとを別々に伝送するためのＳ端子プラグに対応したＳ端子ソケットとが映像インタフェースとして背面のリアパネルに設けられたものがある（例えば、特許文献１参照）。
【０００３】
同様に、このようなコンポジットビデオ端子ソケット及びＳ端子ソケットがリアパネルに設けられたビデオ機器も有る。例えば図１に示すように、ビデオ機器１では本体２のリアパネル２Ａに第１接続部Ｔ１〜第６接続部Ｔ６が並べられている。
【０００４】
第１接続部Ｔ１では、Ｓ端子ソケット１０、コンポジットビデオ端子ソケット１１、左チャンネル用音声端子ソケット１２及び右チャンネル用音声端子ソケット１３が横一列状に設けられている。因みに、コンポジットビデオ端子ソケット１１、左チャンネル用音声端子ソケット１２及び右チャンネル用音声端子ソケット１３の物理的構造は同じであり、これらをピンジャックソケット１４と呼ぶ。
【０００５】
また第２接続部Ｔ２においても、第１接続部Ｔ１と同様に、Ｓ端子ソケット２０が設けられ、その隣にコンポジットビデオ端子ソケット２１、左チャンネル用音声端子ソケット２２及び右チャンネル用音声端子ソケット２３を横一列状に配置したピンジャックソケット２４が設けられている。
【０００６】
このような構成及び配列は、第３接続部Ｔ３〜第６接続部Ｔ６においても同じであり、第３接続部Ｔ３では、Ｓ端子ソケット３０と、コンポジットビデオ端子ソケット３１、左チャンネル用音声端子ソケット３２及び右チャンネル用音声端子ソケット３３からなるピンジャックソケット３４とが設けられ、第４接続部Ｔ４では、Ｓ端子ソケット４０と、コンポジットビデオ端子ソケット４１、左チャンネル用音声端子ソケット４２及び右チャンネル用音声端子ソケット４３からなるピンジャックソケット４４とが設けられ、第５接続部Ｔ５では、Ｓ端子ソケット５０と、コンポジットビデオ端子ソケット５１、左チャンネル用音声端子ソケット５２及び右チャンネル用音声端子ソケット５３からなるピンジャックソケット５４とが設けられ、第６接続部Ｔ６では、Ｓ端子ソケット６０と、コンポジットビデオ端子ソケット６１、左チャンネル用音声端子ソケット６２及び右チャンネル用音声端子ソケット６３からなるピンジャックソケット６４とが設けられている。
【０００７】
ここで図２に示すように、一般的なＳ端子ソケット１０（Ｓ端子ソケット２０、３０、４０、５０及び６０も同様なので、ここでは説明の便宜上Ｓ端子ソケット１０についてのみ説明する）においては、その最外周部分が円筒状でなるシールド１０Ａによって覆われ、その内側に接続対象であるＳ端子プラグ（図示せず）と当接される略円柱状の当接部１０Ｂが設けられている。
【０００８】
Ｓ端子ソケット１０は、その当接部１０Ｂに対して色信号端子１５Ａ、輝度信号端子１６Ａ、色信号用グランド端子１５Ｂ、輝度信号用グランド端子１６Ｂがあたかも台形を形成するような所定位置に設けられ、当接部１０Ｂの中央下部に矩形状の位置決め孔１７が設けられ、かつ当接部１０Ｂの中央上方、中央下部左側、中央下部右側にＳ端子プラグ（図示せず）に対する差し間違え防止用の切欠き部１８Ａ、１８Ｂ、１８Ｃが形成されている。
【０００９】
なお、Ｓ端子ソケット１０は、当接部１０Ｂの切欠き部１８Ａと対向する位置のシールド１０Ａに対しても切欠き部１９Ａが設けられており、当該Ｓ端子ソケット１０に対して接続対象であるＳ端子プラグ（図示せず）が必ず正確に接続されるよう配慮されている。
【００１０】
また図３に示すように、一般的なピンジャックソケット１４（図１）の一つであるコンポジットビデオ端子ソケット１１は、その最外周部分が円筒状でなるシールド１１Ａによって覆われ、その内側の中心部分に、接続対象であるコンポジットビデオプラグ（図示せず）が差し込まれるためのコンポジットビデオ端子２０が設けられている。
【特許文献１】特開2005-80030公報
【発明の開示】
【発明が解決しようとする課題】
【００１１】
ところでかかるビデオ機器１では、Ｓ端子ソケット１０に対してＳ端子プラグ（図示せず）が接続された場合、コンポジットビデオ端子ソケット１１に対してコンポジットビデオプラグ（図示せず）が接続されることはなく、逆に、コンポジットビデオ端子ソケット１１に対してコンポジットビデオプラグ（図示せず）が接続された場合、Ｓ端子ソケット１０に対してＳ端子プラグ（図示せず）が接続されることはなく、いずれにしても他方の接続されないソケットが無駄になるという問題があった。
【００１２】
またビデオ機器１では、Ｓ端子ソケット１０またはコンポジットビデオ端子ソケット１１の何れか一方しか使用されない状況であるにも拘わらず、Ｓ端子ソケット１０及びコンポジットビデオ端子ソケット１１の双方を必ずリアパネル２Ａ又はフロントパネルに配置しなければならず、省スペース化が困難になるという問題があった。
【００１３】
本発明は以上の点を考慮してなされたもので、使用していないときにも無駄にすることなく省スペース化を図ることが出来る使い勝手に優れた共用ソケットを提案しようとするものである。
【課題を解決するための手段】
【００１４】
かかる課題を解決するため本発明においては、輝度信号端子、輝度信号用グランド端子、色信号端子及び色信号用グランド端子が配置されてなるＳ端子ソケットと、当該Ｓ端子ソケットにおける輝度信号端子、輝度信号用グランド端子、色信号端子及び色信号用グランド端子の内側に配置されたピンジャックソケットとを設けることにより、Ｓ端子ソケットとピンジャックソケットとを同一平面上で重ねさせることができる。
【００１５】
これにより、接続対象であるＳ端子プラグ及びピンジャックプラグの双方に対して共用することができると共に、Ｓ端子プラグによりＳ端子ソケットが使用されているときはピンジャックソケットが塞がれ、ピンジャックプラグによりピンジャックソケットが使用されているときはＳ端子ソケットが塞がれることになり、使用していないときにも無駄にすることなく、Ｓ端子ソケット及びピンジャックソケットが並列に配置されることに比べて格段と省スペース化を図ることが出来る。
【発明の効果】
【００１６】
本発明によれば、接続対象であるＳ端子プラグ及びピンジャックプラグの双方に対して共用することができると共に、Ｓ端子プラグによりＳ端子ソケットが使用されているときはピンジャックソケットが塞がれ、ピンジャックプラグによりピンジャックソケットが使用されているときはＳ端子ソケットが塞がれることになり、使用していないときにも無駄にすることなく、Ｓ端子ソケット及びピンジャックソケットが並列に配置されることに比べて格段と省スペース化を図ることが出来、かくしてＳ端子ソケット及びピンジャックソケットが並列に配置されることに比べて格段と省スペース化を図り得る使い勝手に優れた共用ソケットを実現することができる。
【発明を実施するための最良の形態】
【００１７】
以下、図面について、本発明の一実施の形態を詳述する。
【００１８】
（１）ビデオ機器のリアパネル構成
図１との対応部分に同一符号を付した図４に示すように、ビデオ機器１００では本体１０１のリアパネル１０１Ａに第１接続部ＴＴ１〜第８接続部ＴＴ８が並べられた構成を有している。
【００１９】
第１接続部ＴＴ１では、Ｓ端子ソケット及びコンポジットビデオ端子ソケットが一体化した構造でなる共用ソケット１１０、左チャンネル用音声端子ソケット１２及び右チャンネル用音声端子ソケット１３が横一列状に設けられている。因みに、この場合も左チャンネル用音声端子ソケット１２及び右チャンネル用音声端子ソケット１３の物理的構造は同じである。
【００２０】
また第２接続部ＴＴ２においても、第１接続部ＴＴ１と同様に、共用ソケット１２０、その隣に左チャンネル用音声端子ソケット２２及び右チャンネル用音声端子ソケット２３が横一列状に設けられている。
【００２１】
このような構成及び配列は、第３接続部ＴＴ３〜第８接続部ＴＴ８においても同じであり、第３接続部ＴＴ３では、共用ソケット１３０、その隣に左チャンネル用音声端子ソケット３２及び右チャンネル用音声端子ソケット３３が横一列状に設けられ、第４接続部ＴＴ４では、共用ソケット１４０、その隣に左チャンネル用音声端子ソケット４２及び右チャンネル用音声端子ソケット４３が横一列状に設けられ、第５接続部ＴＴ５では、共用ソケット１５０、その隣に左チャンネル用音声端子ソケット５２及び右チャンネル用音声端子ソケット５３が横一列状に設けられ、第６接続部ＴＴ６では、共用ソケット１６０、その隣に左チャンネル用音声端子ソケット６２及び右チャンネル用音声端子ソケット６３が横一列状に設けられ、第７接続部ＴＴ７では、共用ソケット１７０、その隣に左チャンネル用音声端子ソケット７２及び右チャンネル用音声端子ソケット７３が横一列状に設けられ、第８接続部ＴＴ８では、共用ソケット１８０、その隣に左チャンネル用音声端子ソケット８２及び右チャンネル用音声端子ソケット８３が横一列状に設けられている。
【００２２】
（２）共用ソケットの構成
次に、第１接続部ＴＴ１〜第８接続部ＴＴ８における共用ソケット１１０、１２０、１３０、１４０、１５０、１６０、１７０及び１８０の構成について具体的に説明する。但し、その構造については共通するため、便宜上、共用ソケット１１０についてのみ説明し、他についてはその説明を省略する。
【００２３】
ここで図５及び図６に示すように共用ソケット１１０は、その最外周部分が円筒状でなるシールド２０１によって覆われ、その内側には接続対象であるＳ端子プラグ（図示せず）及びコンポジットビデオプラグ（図示せず）と当接される略円柱状の当接部２０２が設けられ、当該共用ソケット１１０全体がリアパネル１０１Ａの第１接続部ＴＴ１に埋め込まれている。
【００２４】
この共用ソケット１１０は、その当接部２０２に対して色信号端子２０３Ａ、輝度信号端子２０４Ａ、色信号用グランド端子２０３Ｂ、輝度信号用グランド端子２０４Ｂがあたかも台形を形成するような所定位置に設けられ、当接部２０２の中央下部にＳ端子プラグ（図示せず）を接続する際に用いられる矩形状の位置決め孔２０６が設けられ、かつ当接部２０２の中央下部左側、中央下部右側にＳ端子プラグ（図示せず）に対する差し間違え防止用の切欠き部２０２Ｂ、２０２Ｃが形成されている。
【００２５】
なお、共用ソケット１１０は、シールド２０１の上方に切欠き部２０１Ａが設けられており、当該共用ソケット１１０に対して接続対象であるＳ端子プラグ（図示せず）が必ず正確に接続されるよう配慮されている。
【００２６】
かかる構成に加えて共用ソケット１１０は、色信号端子２０３Ａ、輝度信号端子２０４Ａ、色信号用グランド端子２０３Ｂ及び輝度信号用グランド端子２０４Ｂが配置されたその内側で、当接部２０２のほぼ中央に一般的なピンジャックソケットと同じ直径でなるコンポジットビデオ端子２０５が設けられており、当接部２０２を介してＳ端子ソケットとして用いることが出来ると同時に、当接部２０２を介してピンジャックソケットとしても用いることが出来るようになされている。
【００２７】
すなわち共用ソケット１１０は、色信号端子２０３Ａ、輝度信号端子２０４Ａ、色信号用グランド端子２０３Ｂ及び輝度信号用グランド端子２０４ＢからなるＳ端子ソケット部分と、コンポジットビデオ端子２０５からなるピンジャックソケット部分とが、当接部２０２上で重なるように配置されたことにより、従来のＳ端子ソケット１０（図２）と同じ面積だけで、Ｓ端子プラグ（図示せず）及びコンポジットビデオプラグ（図示せず）の双方を接続対象とすることが出来るようになされている。
【００２８】
なお、この共用ソケット１１０では、当接部２０２の周囲に設けられたシールド２０１がコンポジットビデオ端子２０５のグランドとしても機能するようになされており、新たにコンポジットビデオ信号用グランド端子（図示せず）を当接部２０２に設ける必要がなく、その構成を簡素化し得るようになされている。
【００２９】
（３）動作及び効果
以上の構成において、共用ソケット１１０は、Ｓ端子ソケットとして機能する色信号端子２０３Ａ、輝度信号端子２０４Ａ、色信号用グランド端子２０３Ｂ及び輝度信号用グランド端子２０４Ｂの内側で、当接部２０２のほぼ中央にコンポジットビデオ端子２０５を設けることにより、Ｓ端子ソケット部分とピンジャックソケット部分とを当接部２０２の同一平面上で重ねるように配置することができるので、当該共用ソケット１１０に対してＳ端子プラグ（図示せず）及びコンポジットビデオプラグ（図示せず）の双方を接続対象とすることができる。
【００３０】
すなわち共用ソケット１１０は、Ｓ端子プラグ（図示せず）及びピンジャックプラグ（図示せず）の双方に対して共用することができると共に、Ｓ端子ソケット部分とピンジャックソケット部分とを同一平面上で重ねさせることができるので、Ｓ端子プラグ（図示せず）によりＳ端子ソケット部分が使用されているときはピンジャックソケット部分が塞がれ、ピンジャックプラグ（図示せず）によりピンジャックソケット部分が使用されているときはＳ端子ソケット部分が塞がれることになり、Ｓ端子プラグ（図示せず）又はピンジャックプラグ（図示せず）の何れか一方だけしか使用していないときでも、そのスペースを無駄にすることがない。
【００３１】
また共用ソケット１１０では、従来のＳ端子ソケット１０（図２）と同じサイズでＳ端子プラグ（図示せず）及びコンポジットビデオプラグ（図示せず）を接続可能な状態に構成したことにより、従来のようにＳ端子ソケット１０及びピンジャックソケット１１を２つ設けるようにしていた場合に比べて格段的に省スペース化を図ることができ、コスメチックデザインに対する制約を少なくすることができる。
【００３２】
従って本発明のビデオ機器１００では、従来のビデオ機器１のリアパネル２Ａのように第１接続部Ｔ１〜第６接続部Ｔ６までの６個までしか配置することが出来ない構成に比べ、第１接続部ＴＴ１〜第８接続部ＴＴ８までの８個まで配置することが出来るようになり、使い勝手を一段と向上することができる。
【００３３】
また本発明のビデオ機器１００では、第１接続部ＴＴ１〜第８接続部ＴＴ８までの８個まで配置するのではなく、これまで通り６個までしか配置しないのであれば、その配置場所の自由度を上げることもできる。
【００３４】
以上の構成によれば、共用ソケット１１０は、Ｓ端子ソケットとして機能する色信号端子２０３Ａ、輝度信号端子２０４Ａ、色信号用グランド端子２０３Ｂ及び輝度信号用グランド端子２０４Ｂの内側で、当接部２０２のほぼ中央にピンジャックソケットとして機能するためのコンポジットビデオ端子２０５を設けることにより、Ｓ端子ソケット部分とピンジャックソケット部分とを当接部２０２上で重なるように配置し、当該共用ソケット１１０に対してＳ端子プラグ（図示せず）及びコンポジットビデオプラグ（図示せず）の双方を接続対象とすることができるので、格段と省スペース化を図り、使い勝手に大幅に向上させることができる。
【００３５】
（４）他の実施の形態
なお上述の実施の形態においては、Ｓ端子ソケットとして機能する色信号端子２０３Ａ、輝度信号端子２０４Ａ、色信号用グランド端子２０３Ｂ及び輝度信号用グランド端子２０４Ｂの内側で、当接部２０２のほぼ中央にコンポジットビデオ端子２０５を設けるようにした場合について述べたが、本発明はこれに限らず、左チャンネル用音声端子ソケット１２又は右チャンネル用音声端子ソケット１３を設けるようにしても良い。
【００３６】
また上述の実施の形態においては、位置決め孔２０６を介してＳ端子プラグ（図示せず）を正確に位置決めするようにした場合について述べたが、本発明はこれに限らず、位置決め孔２０６を設けるのではなく、コンポジットビデオ端子２０５の穴を位置決め孔として用いるようにしても良い。この場合、Ｓ端子プラグとしては、コンポジットビデオ端子２０５の穴を位置決め孔として用いるための突出部を設ける必要がある。
【産業上の利用可能性】
【００３７】
本発明の共用ソケット及び電子機器は、ビデオ機器以外のモニター等に用いられる映像信号の入出力インターフェースに適用することができる。
【図面の簡単な説明】
【００３８】
【図１】従来のビデオ機器におけるリアパネル構成を示す略線図である。
【図２】一般的なＳ端子ソケットの正面構成を示す略線図である。
【図３】一般的なピンジャックソケットの正面構成を示すである。
【図４】本発明の共用ソケットを使用したビデオ機器のリアパネル構成を示す略線図である。
【図５】本発明におけるＳ端子ソケットとピンジャックソケットとからなる共用ソケットの正面構成を示す略線図である。
【図６】本発明におけるＳ端子ソケットとピンジャックソケットとからなる共用ソケットの全体構成を示す略線図である。
【符号の説明】
【００３９】
１……ビデオ機器、２……本体、２Ａ……リアパネル、１０、２０、３０、４０、５０、６０……Ｓ端子ソケット、１１、２１、３１、４１、５１、６１……コンポジットビデオ端子ソケット、１２、２２、３２、４２、５２、６２……左チャンネル用音声端子ソケット、１３、２３、３３、４３、５３、６３……右チャンネル用音声端子ソケット、１４、２４、３４、４４、５４、６４……ピンジャックソケット、１０Ａ、１１Ａ、２０１……シールド、１０Ｂ、２０２……当接部、１５Ａ、２０３Ａ……色信号端子、１５Ｂ、２０３Ｂ……色信号用グランド端子、１６Ａ、２０４Ａ……輝度信号端子、１６Ｂ、２０４Ｂ……輝度信号用グランド端子、１７、２０６……位置決め孔、１８Ａ、１８Ｂ、１８Ｃ、１９Ａ、２０１Ａ、２０２Ｂ、２０２Ｃ……切欠き部、２０、２０５……コンポジットビデオ端子、１１０、１２０、１３０、１４０、１５０、１６０、１７０、１８０……共用ソケット。
【図１】
2009004178.tif 000003
【図２】
2009004178.tif 000004
【図３】
2009004178.tif 000005
【図４】
2009004178.tif 000006
【図５】
2009004178.tif 000007
【図６】
2009004178.tif 000008